(57)【特許請求の範囲】
【請求項１】
輸送用の外箱１と、商品を載せたまま外箱１に収納されるトレー２と、折り畳んだ状態で外箱１に収納される受架材３とから成り、外箱１からトレー２及び受架材３を取り出し、受架材３を組み立てて外箱１にセットし、その上にトレー２を載せて商品を陳列する商品陳列台。
【請求項２】
前記外箱１に、広告を印刷したスリーブ４を折り畳んで収納しておき、商品陳列時に、このスリーブ４を外箱１の外周に巻き付ける請求項１に記載の商品陳列台。
【請求項３】
前記トレー２に広告パネル５を差し込んで抜け止めし、広告パネル５が起立した状態で商品を陳列し、輸送時には広告パネル５を下方へ折曲可能としたことを特徴とする請求項１又は２に記載の商品陳列台。
【発明の詳細な説明】
【０００１】
【発明の属する技術分野】
この発明は、トレーに商品を載せて店頭で陳列する厚紙製の商品陳列台に関するものである。
【０００２】
【従来の技術】
従来、商品陳列台として、図６に示すように、輸送用の外箱５０と、商品を載せたまま外箱５０に収納されるトレー５１とから成り、店頭では、外箱５０からトレー５１を取り出し、フラップ５２を閉じた外箱５０の上にトレー５１を載せて商品を陳列する商品陳列台が使用されている。
【０００３】
この陳列に際しては、連結板５３を両面テープ５４で外箱５０及びトレー５１の後面に貼り付けて、トレー５１を外箱５０に固定し、また、トレー５１の頂部に形成された挿入口５５に、広告パネル５６の差込片５７を差し込んで、広告パネル５６を起立させ、広告効果を高めるようにする。
【０００４】
【発明が解決しようとする課題】
しかしながら、上記のような陳列台では、外箱５０の天面が商品の重量で陥没して、トレー５１が不安定になることがあった。
【０００５】
また、広告パネル５６がトレー５１と別体となっているため、店頭での陳列作業時に、広告パネル５６を紛失したり、取り付け忘れたりすることがあった。
【０００６】
そこで、この発明は、陳列時の作業性及び安定性に優れ、高い広告効果を得られる商品陳列台を提供することを課題とする。
【０００７】
【課題を解決するための手段】
上記課題を解決するため、この発明に係る商品陳列台は、輸送用の外箱と、商品を載せたまま外箱に収納されるトレーと、折り畳んだ状態で外箱に収納される受架材とから成り、外箱からトレー及び受架材を取り出し、受架材を組み立てて外箱にセットし、その上にトレーを載せて商品を陳列することとしたのである。
【０００８】
この陳列台では、商品陳列時に、輸送用の外箱及びこれに収納した受架材で堅固な脚部が形成されるので、トレーが安定して支持される。
【０００９】
また、前記外箱に、広告を印刷したスリーブを折り畳んで収納しておき、商品陳列時に、このスリーブを外箱の外周に巻き付けると、広告スペースを大きく確保することができる。
【００１０】
そのほか、商品を載せるトレーに広告パネルを差し込み、広告パネルが起立した状態で商品を陳列する商品陳列台では、広告パネルをトレーから抜け止めしつつ、下方へ折曲可能としておくとよい。
【００１１】
この場合、広告パネルをトレーに予め取り付け、輸送時には下方へ折り曲げておき、陳列作業時に起こして固定することにより、広告パネルの紛失や取り付け忘れを防止することができる。
【００１２】
【発明の実施の形態】
以下、この発明の実施の形態を添付図面に基づいて説明する。
【００１３】
この陳列台は、商品の輸送に際し、図１に示すように、外箱１にトレー２その他の全ての部材が収納された状態となっている。このとき、トレー２には、商品（図示省略）が載せられている。
【００１４】
そして、この陳列台を使用して、店頭で商品を陳列する際には、図２に示すように、外箱１の天面のフラップ１１，１２を開き、外箱１からトレー２、受架材３及びスリーブ４を取り出す。
【００１５】
ここで、トレー２には、広告パネル５が予め取り付けられ、この広告パネル５は後下方へ折り曲げられた状態となっている。また、受架材３は、二枚の板材６を切込で噛み合わせ、スリーブ４は、表面に広告が印刷された単紙を環状に接合したものとされ、これらは折り畳まれた状態となっている。
【００１６】
上記各部材から陳列台を組み立てるには、図３に示すように、外箱１のフラップ１１，１２を内側へ折り込み、受架材３を板材６が交差した状態に開いて外箱１にセットし、スリーブ４を環状に広げて、外箱１の外周に巻き付ける。
【００１７】
次いで、図４に示すように、トレー２の下部を外箱１の天面に嵌めるようにして、トレー２を受架材３の上に載せる。また、広告パネル５を起こし、下方へスライドさせて固定する。
【００１８】
このように組み立てると、外箱１及びこれに収納した受架材３で堅固な脚部が形成されるので、トレー２が安定して支持される。
【００１９】
また、スリーブ４により、輸送時に汚れやすい外箱１の外面が隠されて、大きな広告スペースが確保され、上方の広告パネル５との相乗効果により、消費者への高い訴求力が期待できる。
【００２０】
ところで、図５に示すように、トレー２は、底壁２１の周囲に背の低い前壁２２と、前下がりの一対の側壁２３と、背の高い後壁２４とを設けた構成とされ、各壁２１乃至２４は、それぞれ重合板２５乃至２８により補強されている。そして、後壁２４の頂部には、挿入口２９が設けられている。
【００２１】
一方、広告パネル５は、広告が印刷された表示板３１から下方に支持部３２及び差込片３３を順次延出すると共に、その側方に切込部を挟んで表示板３１から係合片３４を突設し、支持部３２と差込片３３の境界に折目線３５を設け、差込片３３を両側へ張り出させたものとなっている。
【００２２】
この広告パネル５をトレー２に取り付けるには、広告パネル５を傾けつつ、差込片３３を挿入口２９に差し込む。そして、広告パネル５の傾きを戻すと、差込片３３が挿入口２９から抜け止めされ、広告パネル５の脱落が防止される。
【００２３】
このため、輸送時には、折目線３５沿いに折り曲げて、表示板３１を後側へ垂下させておき、陳列作業時には表示板３１を起こし、支持部３２を挿入口２９に差し込み、係合片３４を後壁２４に係合させて、表示板３１を起立状態で保持することにより、広告パネル５の紛失や取り付け忘れを防止することができる。
【００２４】
【発明の効果】
以上のように、この発明に係る陳列台では、輸送用の外箱から受架材を取り出し、この受架材を組み立てて外箱にセットし、その上にトレーを載せて商品を陳列することとしたので、外箱及び受架材で形成される堅固な脚部により、トレーが安定して支持される。
【００２５】
また、広告を印刷したスリーブを外箱の外周に巻き付けると、広告スペースを大きく確保することができる。
【００２６】
そのほか、広告パネルをトレーに予め取り付け、輸送時には下方へ折り曲げておき、陳列作業時に起こして固定することにより、広告パネルの紛失や取り付け忘れを防止することができる。
【図面の簡単な説明】
【図１】この発明に係る商品陳列台の輸送時の状態を示す斜視図
【図２】同上の外箱からの各部材の取り出し状態を示す斜視図
【図３】同上の商品陳列時の組立過程を示す斜視図
【図４】同上の商品陳列時の状態を示す斜視図
【図５】同上のトレーと広告パネルの斜視図
【図６】従来の商品陳列台を示す斜視図
【符号の説明】
１  外箱
２  トレー
３  受架材
４  スリーブ
５  広告パネル
６  板材
１１，１２  フラップ
２１  底壁
２２  前壁
２３  側壁
２４  後壁
２９  挿入口
３１  表示板
３２  支持部
３３  差込片
３４  係合片
３５  折目線
【図１】
0003623199.tif 000002
【図２】
0003623199.tif 000003
【図３】
0003623199.tif 000004
【図４】
0003623199.tif 000005
【図５】
0003623199.tif 000006
【図６】
0003623199.tif 000007